(57)【要約】      （修正有）【課題】簡単かつ安全に樹脂管を既設管内に挿入することができる、樹脂管引込方法およびガイド管を提供する。【解決手段】障害物１１より低くなるように所定の曲率で予め曲げられたガイド管１０を既設管３２の前方に配置し、ガイド管１０の出口１６を既設管３２の導入口３６側に向ける。そして、樹脂管１４を既設管３２に対して平行にして、既設管３２の上方に配置する。既設管３２の導入口３６側を向いた樹脂管１４の端部に、既設管３２およびガイド管１０を挿通させた牽引用ワイヤ４４の一方端を繋ぎ、牽引用ワイヤ４４の他方端を牽引する。  【選択図】  図１
2006037380.tif 000002
【特許請求の範囲】
【請求項１】
樹脂管を既設管に引き込むための、ガイド管であって、
前記樹脂管が前記ガイド管内を通過するときの摩擦を軽減する摩擦軽減手段を備え、
予め所定の曲率で曲げた、ガイド管。
【請求項２】
樹脂管を既設管内に引き込む樹脂管引込方法であって、
（a）請求項１のガイド管をその第１端が前記既設管の導入口側になるように配置するステップ、
（b）前記ガイド管の第２端から前記樹脂管を前記ガイド管内に挿入するステップ、および
（c）前記ガイド管の前記第１端から出た前記樹脂管を前記導入口へ前記既設管内に引き込むステップを含む、樹脂管引込方法。
【発明の詳細な説明】
【技術分野】
【０００１】
この発明は、樹脂管引込方法およびガイド管に関し、特にたとえば、埋設された既設管に更生用の樹脂管を引き込むために使用する、樹脂管引込方法およびガイド管に関する。
【背景技術】
【０００２】
従来の樹脂管引込方法の一例が、特許文献１に開示されている。この特許文献１の可撓性管の地中埋設誘導方法および装置では、管は第１案内ローラおよび補助ローラで挟持された後、湾曲しながら、第２案内ローラおよび第３案内ローラへ誘導されて、先進導孔の上流側開口端付近まで牽引される。ここで、管の一端から誘導用牽条が取り外されて、取り外した部分に、先進導孔内に予め挿通される引き込み用牽条が連結される。そして、引き込み用牽条を牽引して、管は先進導孔内に挿入される。
【特許文献１】特開２００１−３２６８２号公報［Ｅ２１Ｄ  ９／０６、Ｅ２１Ｄ  ９／０８、Ｆ１６Ｌ  １／００、Ｆ１６Ｌ  １／０２４］
【発明の開示】
【発明が解決しようとする課題】
【０００３】
特許文献１の従来技術では、先進導孔の上流側開口端付近で管に取り付けた誘導用牽条を引き込み用牽条へ引き継がなければならず、手間が掛かってしまう。
【０００４】
また、湾曲した管の後端が第１案内ローラを通過した後、管の外側を支えるものがないため、管の後端は装置の前方へ跳ね返ってしまう。このため、装置の前に人がいると、重大な事故に繋がる恐れがあり、この装置を用いるに当たって厳しい安全対策が必要になる。
【０００５】
それゆえに、この発明の主たる目的は、簡単かつ安全に樹脂管を既設管内に挿入することができる、樹脂管引込方法およびガイド管を提供することである。
【課題を解決するための手段】
【０００６】
請求項１の発明は、樹脂管を既設管に引き込むためのガイド管であって、樹脂管がガイド管内を通過するときの摩擦を軽減する摩擦軽減手段を備え、予め所定の曲率で曲げた、ガイド管である。
【０００７】
請求項１の発明では、予め所定の曲率で曲げた弧状のガイド管を既設管の導入口の前に据え、ガイド管の出口を既設管の導入口に向ける。樹脂管を既設管に平行にして既設管の上方に配置し、樹脂管の端部の内で既設管の導入口側を向いた方の端部を先端として、ここにたとえば、既設管およびガイド管を挿通した牽引用ワイヤを取り付ける。そして、牽引用ワイヤを既設管の出口側から牽引して、樹脂管をガイド管の入口から導入し、ガイド管に沿って所定の曲率で曲げて、ガイド管の出口から既設管の導入口へそのままの状態で挿入する。
【０００８】
このように、ガイド管の出口を既設管の導入口に向けて、ガイド管と既設管とを連結させることにより、１本の牽引用ワイヤを既設管およびガイド管の両方に通して、このワイヤで樹脂管を両方の管内へ牽引することができる。よって、樹脂管を牽引するためにガイド管と既設管とで別の牽引用ワイヤを用いる必要がない。
【０００９】
また、樹脂管はガイド管により湾曲されるため、樹脂管がガイド管内へ引き込まれて樹脂管の長さが短くなっても、樹脂管はガイド管の管壁により支持され、樹脂管の後端がガイド管の前方へ跳ね返ることはない。
【００１０】
さらに、ガイド管の曲率が大きくなるほど、ガイド管内を通過する樹脂管とガイド管との間の摩擦は大きくなるが、樹脂管に設けた摩擦軽減手段により樹脂管は滑らかに進むため、ガイド管の曲率を大きくして、ガイド管の高さを低く抑えることができる。このため、ガイド管は電線などの障害物の高さより低くすることができ、電線などが多い市街地でも施工できる。
【００１１】
請求項２の発明は、樹脂管を既設管内に引き込む樹脂管引込方法であって、（a）請求項１のガイド管をその第１端が既設管の導入口側になるように配置するステップ、（b）ガイド管の第２端から樹脂管をガイド管内に挿入するステップ、および（c）ガイド管の第１端から出た樹脂管を導入口から既設管内に引き込むステップを含む、樹脂管引込方法である。
【００１２】
請求項２の発明では、ガイド管の第１端を既設管の導入口側になるように配置することにより、ガイド管は既設管と連結するため、樹脂管はガイド管の第２端からガイド管内に挿入され、ガイド管の第１端から出て、そのまま導入口から既設管内に引き込まれる。よって、樹脂管の先端に牽引ワイヤなどを接続して牽引すれば、樹脂管をガイド管に通して、そのまま既設管に挿入することができる。
【００１３】
また、樹脂管は所定の曲率で曲がったガイド管に通り、既設管に引き込まれることにより、既設管内に引き込まれて樹脂管の長さが短くなっても、樹脂管の後端はガイド管に挿入されて、ガイド管の管壁に支持されるため、樹脂管の後端は前方に跳ね返ったりしない。
【発明の効果】
【００１４】
この発明によれば、ガイド管を既設管の前に配置することにより、樹脂管をガイド管から簡単に既設管内へ挿入することができる
また、予め所定の曲率で曲げたガイド管内に樹脂管を通して、樹脂管を湾曲させるため、樹脂管の後端が跳ね返ることなく、安全に樹脂管を既設管内へ挿入することができる。
【００１５】
この発明の上述の目的，その他の目的，特徴および利点は、図面を参照して行う以下の実施例の詳細な説明から一層明らかとなろう。
【発明を実施するための最良の形態】
【００１６】
図１に示すこの発明の一実施例であるガイド管１０は、たとえば外径が３００Ａで長さが９ｍの鋼管を、電線などの障害物１１の高さより低い、たとえば半径２ｍに予め曲げた弧状の曲管である。ガイド管１０の上側の第１端１２は樹脂管１４を導入するための入口として、下側の第２端１６はガイド管１０内を通過した樹脂管１４を引き出す出口として利用される。
【００１７】
このガイド管１０の管壁に樹脂管１４の摩擦軽減手段としてガイドローラ１８が装着する。ガイドローラ１８は、図２に示すように回転軸２０により支持される円筒形の回転物であり、ガイド管１０の管壁に沿う形状の鋼板２２上の、たとえば２箇所に２つずつ設けられる。このガイドローラ１８ａ、１８ｂを、図３に示すガイド管１０の内側および外側の管壁の一部を切り取った切欠き２４内に入れ、鋼板２２を管壁の外側から当てて、鋼板２２を溶接などして管壁に固定する。そして、図１に示すガイド管１０の全体として、管壁の内側の複数（この実施例では５箇所）にガイドローラ１８ａを取り付け、外側の複数（この実施例では９箇所）にガイドローラ１８ｂを取り付ける。
【００１８】
ガイド管１０の管壁にはガイドローラ１８以外に、複数（この実施例では４箇所）に間隔を隔てて検査窓２６が形成される。検査窓２６はガイド管１０内を通る樹脂管１４の通過状況などを確認するためのものである。
【００１９】
また、樹脂管１４の先端に図４に示す牽引治具２８を装着する。牽引治具２８は円錐形状で、鉄や真鋳などの金属で形成される。牽引治具２８の先には牽引用ワイヤを繋ぐためのリング３０が設けられる。
【００２０】
このガイド管１０を用いてφ１５０の樹脂管１４を既設管３２に引き込む場合、図１に示すように、まず既設管３２の更生部分の両端に作業用の溝３４を掘削し、溝３４内の既設管３２を切断する。その切断して残った既設管３２の一方開口３６を導入口とし、他方開口３８を出口とする。そして、ガイド管１０の出口１６を既設管３２の導入口３６に向けて、溝３４内にガイド管１０を置き、ガイド管１０を車載クレーン４０などで吊り上げながら、倒れないように支持する。それから、樹脂管１４を既設管３２と平行にして既設管３２の上方に配置して、樹脂管１４の側壁を案内部材３７に当接する。この案内部材３７は樹脂管１４を既設管３２と平行に配置するものである。そして、既設管３２の導入口３６にある樹脂管１４の端部を樹脂管１４の先端として、ここに牽引治具２８を嵌める。
【００２１】
既設管３２の出口３８の外側に配置したウィンチ４２などから牽引用ワイヤ４４を引き出し、牽引用ワイヤ４４を既設管３２の出口３８から既設管３２内へ挿入する。そして、既設管３２内を通して、既設管３２の導入口３６から引き出す。この既設管３２の導入口３６から引き出した牽引用ワイヤ４４をさらにガイド管１０の出口１６へ挿入し、ガイド管１０内を通して、ガイド管１０の入口１２から引き出してから、牽引治具２８のリング３０に繋ぐ。
【００２２】
この牽引用ワイヤ４４をウィンチ４２などにより牽引すると、樹脂管１４はガイド管１０の入口１２から引き込まれ、ガイド管１０に沿って所定の曲率で折り返す。樹脂管１４がガイド管１０内を通過する際、円錐形状の牽引治具２８はガイド管１０の管壁に対し傾斜するため、牽引治具２８はガイドローラ１８に衝突せず、牽引治具２８の傾斜に沿ってガイドローラ１８上に載る。それに伴い樹脂管１４もガイドローラ１８上に載り、ガイドローラ１８が回転して引き込まれる樹脂管１４とガイド管１０との摩擦が低減されて、樹脂管１４はガイド管１０内を滑らかに進む。
【００２３】
ガイド管１０の出口１６から出た樹脂管１４は続いて既設管３２の導入口３６へ導入され、既設管３２内へ引き込まれる。そして、図５に示すように、樹脂管１４の後端がガイド管１０に入ると、樹脂管１４の進行状況を検査窓２６から確認して、樹脂管１４の後端が既設管３２内に導入されるときに、樹脂管１４の引き込みを停止して、牽引治具２８を樹脂管１４の先端から取り外す。
【００２４】
このように、ガイド管１０の出口１６を既設管３２の導入口３６に向ければ、ガイド管１０は既設管３２と連結するため、既設管３２およびガイド管１０の両方に通した牽引用ワイヤ４４を樹脂管１４に付けて、この１本のワイヤ４４により樹脂管１４を両方の管１０、２７内へ牽引することができる。
【００２５】
また、図５に示すように、既設管３２内に引き込まれて樹脂管１４の長さが短くなっても、樹脂管１４は所定の曲率で曲がったガイド管１０に通り、既設管３２に引き込まれることにより、樹脂管１４の後端はガイド管１０の管壁に支持されるため、樹脂管１４は前方に跳ね返ったりせず、安全に作業することができる。
【００２６】
さらに、弧状のガイド管１０内を樹脂管１４が通過する際、ガイド管１０の曲率が大きいほど樹脂管１４はガイド管１０の内面と擦れて進みにくいが、ガイド管１０に設けたガイドローラ１８が回転することにより、樹脂管１４とガイド管１０との間の摩擦が軽減されるため、樹脂管１４は滑らかにガイド管１０を通過して折り返すことができ、ガイド管１０の曲率を大きくその高さを低くすることができる。  
【００２７】
さらに、作業用の溝３４の大きさはガイド管１０を設置できるだけの大きさであればよく、従来の樹脂管１４を引き込むための作業用溝より小さくすることができる。
【００２８】
したがって、ガイド管１０の高さを低く、たとえば電線などの障害物１１の高さより低く設定し、作業用の溝３４の大きさを小さくすることができるため、工事区間を短縮化し、しかも電線などの障害物１１が多い市街地のような場所でも施工可能である。
【００２９】
さらに、牽引治具２８がガイド管１０を通過する際、円錐形状の牽引治具２８の勾配により、牽引治具２８はガイドローラ１８に衝突せず、牽引治具２８の斜面に沿って牽引治具２８はガイドローラ１８の上を進むことができる。
【００３０】
なお、ガイドローラ１８をガイド管１０の上側および下側に設けたが、樹脂管１４の通過状況に応じて樹脂管１４の摩擦が低減できるガイド管１０の適当な位置にガイドローラ１８を設ければよい。したがって、ガイド管１０の位置により、ガイドローラ１８を上側および下側のぺアで設けてもよいし、ガイド管１０の上側だけまたは下側だけに設けてもよい。
【００３１】
また、摩擦軽減手段としてガイドローラ１８を用いたが、潤滑材など他の摩擦軽減手段も用いることもできる。
【００３２】
図６に示すこの発明の他の実施例であるガイド管１０は図１に示すガイド管１０とほぼ同様であるが、その形状が異なる。図２に示すガイド管１０は弧状であるのに対して図６に示すガイド管１０はＳ字状である。Ｓ字状のガイド管１０は、その一方端から所定の曲率で円弧を形成し、中央部で曲げ方向を変えて、先の曲率と同じ曲率で円弧を形成する。このため、ガイド管１０の入口４６は既設管３２の前方を向き、樹脂管１４は既設管３２の前方に配置して、ガイド管１０内に挿入する。これ以外の部分に関しては図１実施例の示すガイド管１０と同様であるため、説明は省略する。
【００３３】
このようなガイド管１０に樹脂管１４を挿入すると、樹脂管１４はガイド管１０に沿って曲げられ、ガイドローラ１８により摩擦が軽減されながら滑らかにガイド管１０内を通過するため、ガイド管１０を配置するための作業用溝３４を小さくすることができる。また、ガイド管１０の向きを変えることにより、樹脂管１４の挿入方向の自由度が上がる。
【００３４】
さらに、上で挙げた角度や寸法の具体的数値はいずれも単なる一例であり、必要に応じて適宜変更可能である。
【図面の簡単な説明】
【００３５】
【図１】この発明の一実施例のガイド管を用いて、樹脂管を既設管内へ引き込む状態を示す断面図である。
【図２】ガイドローラを示す平面図である。
【図３】図２のガイドローラをガイド管に装着した状態を示す断面図である。
【図４】樹脂管に牽引治具を取り付けた状態を示す断面図である。
【図５】図１のガイド管内に樹脂管の後端が通過している状態を示す断面図である。
【図６】この発明の他の実施例のガイド管を用いて、樹脂管を既設管内へ引き込む状態を示す断面図である。
【符号の説明】
【００３６】
１０…ガイド管
１２…ガイド管の入口
１４…樹脂管
１６…ガイド管の出口
１８…ガイドローラ
３２…既設管
３６…既設管の導入口
【図１】
2006037380.tif 000003
【図２】
2006037380.tif 000004
【図３】
2006037380.tif 000005
【図４】
2006037380.tif 000006
【図５】
2006037380.tif 000007
【図６】
2006037380.tif 000008